(57)【特許請求の範囲】
【請求項１】
−階扉開口の下縁に固定された扉敷居と、
−頭上支持体および該頭上支持体に可動的に装着された少なくとも１枚の扉パネルと、
−前記扉開口のいずれかの側で前記扉敷居に固定された複数の垂直枠体とを含み、前記頭上支持体は前記垂直枠体に取り付けられ、前記複数の垂直枠体のそれぞれの上部は、水平面内において堅固で垂直方向において柔軟性を保持する連接部によって、上の階の扉敷居に固定された垂直枠体に緊締されていることを特徴とするエレベータ階扉構体。
【請求項２】
請求項１に記載の扉構体において、前記垂直枠体には、長孔が設けられていることを特徴とする扉構体。
【請求項３】
請求項２に記載の扉構体において、該構体は、第１の垂直枠体およびその上方の第２の垂直枠体および扉敷居を互いにロックする緊締要素を含むことを特徴とする扉構体。
【請求項４】
請求項１ないし３のいずれかに記載の扉構体において、緊締要素として使用するロックピンが長孔内を第１の垂直枠体において下方に動くことができることを特徴とする扉構体。
【請求項５】
請求項１ないし４のいずれかに記載の扉構体において、前記垂直枠体は、下方扉敷居から上方扉敷居に伸び、これらに固定されていることを特徴とする扉構体。
【請求項６】
請求項１ないし５のいずれかに記載の扉構体において、前記垂直枠体の上部は、垂直方向において柔軟性を保持する連接部によって上の階の扉敷居に取り付けられていることを特徴とする扉構体。
【請求項７】
請求項１に記載の扉構体において、前記垂直枠体は、該扉構体に対する動きを許容しない方法で下の階の扉敷居に固定されていることを特徴とする扉構体。
【請求項８】
請求項１に記載の扉構体において、前記垂直枠体の上部は、上の階の扉敷居およびその上方の垂直枠体の両方に同じ緊締要素で取り付けられていることを特徴とする扉構体。
【請求項９】
請求項１に記載の扉構体において、前記垂直枠体には、長孔がロックピンの周囲の領域に設けられていることを特徴とする扉構体。
【請求項１０】
請求項１に記載の扉構体において、前記垂直枠体は、前記頭上支持体の取付け点の上方に伸びる上方延長部を含むことを特徴とする扉構体。
【請求項１１】
請求項10に記載の扉構体において、前記上の階の扉敷居に固定された垂直枠体は、該扉敷居の取付け点の下方に伸びる下方延長部を含み、下方垂直枠体が該延長部に緊締されていることを特徴とする扉構体。
【請求項１２】
請求項10または11に記載の扉構体において、前記垂直枠体は、上部がエレベータ昇降路の壁に直接、緊締されていることを特徴とする扉構体。
【請求項１３】
請求項10ないし12のいずれかに記載の扉構体において、前記垂直枠体の上部は、上の階の扉開口の下縁に装着された扉敷居に緊締されていることを特徴とする扉構体。
【請求項１４】
請求項10ないし13のいずれかに記載の扉構体において、前記垂直枠体は、前記扉敷居の端部に固定されていることを特徴とする扉構体。
【請求項１５】
請求項10ないし14のいずれかに記載の扉構体において、前記頭上支持体は、端部が２つの垂直枠体の間に固定されていることを特徴とする扉構体。
【発明の詳細な説明】
【０００１】
本発明は、請求項１の前段に記載のエレベータ階扉構体に関するものである。
【０００２】
これまでエレベータの階扉は、扉枠体の上下両端を直接、建物に取り付けることによって装着していた。換言すれば、扉敷居を扉開口の下縁に固定し、頭上支持体を別個に扉開口の上縁に固定する。このような構造の欠点はとりわけ、設置の困難さと構造の複雑さにある。扉敷居と頭上支持体の両方とも、正確な測定位置に従って別々に設置しなければならない。
【０００３】
これまで知られている方式には、建物に取り付けた２次的構体に階扉を固定するものもある。たとえば、綱構造のエレベータ昇降路では、Ｈ型綱枠体を用いて階扉が装着され、このＨ型綱枠体全体は、下端が床スラブに、また上端が上の階床を支持するスラブに取り付けられている。このような枠体は、多数の設計工数を要し、製造費用がかかり、設置が困難である。
【０００４】
一般に、階扉の装着は、問題が多く困難な作業である。これは、扉敷居と頭上支持体の両方に適した装着点を見出すのが困難であることと、昇降路の寸法が階によってかなり異なることがあるからである。それにもかかわらず、扉開口は、同一直線状に正確に整合していなければならない。しかも階扉構体は、各階にわたって扉構体同士を堅固に接続することができない。これは、エレベータ昇降路は、エレベータ構体が適合しなければならない長手方向の動きを受けるからである。
【０００５】
本発明の目的は、上述の欠点を解消することにある。本発明の特定の目的は、できるだけ簡単で製造および設置に費用のかからない新たなタイプのエレベータ階扉構体を開示することである。
【０００６】
本発明の特徴的構成要件は、特許請求の範囲を参照されたい。
【０００７】
本発明の階扉構体は、階扉開口の下縁に取り付けられた扉敷居と、頭上支持体と、この頭上支持体に沿って可動でこれに支持される少なくとも１枚の扉パネルとを含む。本発明によれば、扉敷居を床の所定の位置に装着した後、複数の垂直枠体を扉開口のいずれかの側で扉敷居に固定し、頭上支持体を垂直枠体に取り付ける。換言すれば、垂直枠体は、扉敷居によって堅固に装着され支持される。さらに、垂直枠体の上部は、水平面内において堅固で垂直方向において柔軟性のある連接部によって固定され、昇降路構体に生じ得る垂直方向の動きの影響は、垂直枠体の上部を保持する連接部を介して自由に伝達される。
【０００８】
垂直枠体の上部は好ましくは、上方の次の階床の扉開口の縁部に装着されその階床の扉敷居に固定された他の対応する垂直枠体に取り付けられている。この取付けは、互いの垂直延長部として実質的に上下に配置された複数の垂直枠体を互いに水平面内で堅固に接続し、それらの間の連接部は、エレベータ昇降路の構体に生ずる熱膨張および他の動きに起因して必要な垂直枠体の長手方向における摺動または柔軟性を許容するようにして、実現される。
【０００９】
垂直枠体の長さは好ましくは、頭上支持体の取付け点の上方に伸びる上方延長部を含むように構成され、垂直枠体は、この延長部によって水平面内で堅固な連接部を介して固定される。同様に、垂直枠体は好ましくは、扉敷居の取付け点の下方に伸びて、垂直枠体の扉敷居の下方の部分が下方延長部を形成し、これに垂直枠体の上端を下の階の扉開口の縁部において取り付けることができるようにする。
【００１０】
異なる階床にわたって互いに垂直方向において整列して互いの延長部を形成する垂直枠体は、様々な方法で互いに接続できる。本質的な点は、連接部によって確実に、垂直枠体の水平面における位置が堅固に保持され、垂直枠体の互いに対する垂直方向の動きが許容されることである。そこで連接部は、垂直枠体を囲繞する適切なスリーブ、または互いに向かい合う方向に押圧された２つの要素の間で垂直枠体をロックする適切なクランプ接続からなってよい。他の本質的な点は、垂直枠体が互いに直接、当接せず、むしろ適切な空隙が垂直枠体の間で連接部に残ることである。垂直枠体は、Ｕ字断面、Ｈ断面、Ｔ断面または丸型または角ばった中空断面形状の鋼などの、様々なタイプの堅固な断面形状の鋼で作ることができる。
【００１１】
本発明思想の範囲内で可能なのはまた、上の階床の扉開口の下縁に固定された扉敷居に垂直枠体の上部を直接、緊締することでもある。この場合もまた、連接部は、水平面内において堅固で垂直方向において適切に柔軟性のある構造として実現される。
【００１２】
とくに、最上階のエレベータ扉構体の場合、および階間距離がことさら長い適用例の場合もまた、垂直枠体の上部を昇降路壁に直接、緊締することができる。この実施例でもまた、連接部は、水平面内において堅固で垂直方向において適切に柔軟性があるように実現される。
【００１３】
垂直枠体は好ましくは、扉敷居の端部に取り付けられる。同様に、頭上支持体は好ましくは、端部が２つの垂直枠体の間に取り付けられる。もっとも、設置空間および使用する垂直枠体の断面形状に応じて、取付けを実現する他の方法も可能である。
【００１４】
本発明のエレベータ階扉構体によれば、従来技術と比較してかなりの利点がある。本扉構体は非常に簡略で、建設が容易である。扉敷居をエレベータ昇降路の階扉開口に取り付けて位置を定めた後は、更なる精密測定を必要としない。垂直枠体には、扉敷居と頭上支持体の双方に正確な取付け点、たとえば穿孔が設けられる。こうして、垂直枠体は扉敷居の端部に固定され、頭上支持体は垂直枠体の上端に固定される。同時に、垂直枠体の上端は、上の階の扉敷居に固定された対応する垂直枠体に接続される。
【００１５】
以下に、添付図面を参照して本発明を詳細に説明する。これらの図面は、本発明のエレベータ階扉構体の様々な実施例を示す図である。
【００１６】
図面は、２つの階を含む概略図形式で本発明の実施例を示している。実際の発明の構造を簡潔に示すため、扉開口および階床などの昇降路構体は、図に示していない。
【００１７】
図１における扉構体では、扉敷居１を下の階の扉開口の下縁に緊締要素７によって固定的に取り付ける。対応する扉敷居５を上の階の扉開口の下縁に緊締要素８によって固定する。この後、堅固な垂直枠体４を扉敷居１の一方の端部に固定し、同様の垂直枠体を扉敷居１の他方の端部にも固定する。こうして扉敷居１は、両垂直枠体４の間に留まる。同様にして、頭上支持体２を両垂直枠体４の間で扉開口の上縁に装着する。垂直枠体４には、あらかじめ設計した装着孔、またはそれと同等の扉敷居１および頭上支持体の双方の取付け点が設けられ、したがって、これらを装着する際、測定を行なう必要がない。
【００１８】
上の階では、同様の方法で、各垂直枠体６を扉敷居５のいずれかの端部に固定し、頭上支持体９を両垂直枠体の上部の間に固定する。そこで、扉パネル３を頭上支持体２および９に通常の方法で懸架させることができる。
【００１９】
垂直枠体４または頭上支持体２は、昇降路構体のいずれの箇所にも直接固定されていない。むしろ、垂直枠体４の上端は、上の階に装着されている垂直枠体６の下端に取り付けられ、垂直枠体４および６の断面形状に合ったクランプを用いている。これらのクランプは、Ｕ字形をその外側から部分的に囲繞するクランピング・ブロック10と、Ｕ字形４および６の内側に装着されるカウンタ・ブロック11とからなる。これらの要素は、ボルト12によって互いに押圧され、垂直枠体４の上端と垂直枠体６の下端がそれらの間でクランプされる。このようにして、垂直枠体４および６の間に連接部が形成され、これは、水平面内において堅固であるが、依然として垂直枠体の長手方向においては必要な柔軟性がある。
【００２０】
こうして、本発明の扉構体の全重量は、扉敷居を介して床に伝達され、扉構体の上部は、昇降路構体にその上方の扉構体の扉敷居を介して水平方向にのみ堅固に接続される。
【００２１】
図２では、実際の発明の構造を明確に示すため、扉開口および階床などの昇降路構体が省略されている。この扉構体では、扉敷居30を上の階扉開口の下縁に緊締要素31によって固定的に取り付ける。この後、堅固な垂直枠体26を扉敷居30の一方の端部に固定し、同様の垂直枠体を扉敷居30の他方の端部に固定し、両垂直枠体は懸架させたままにしておく。こうして扉敷居30は両垂直枠体26の間に留まる。垂直枠体26には、扉敷居30、中間扉敷居25および頭上支持体29の両方のためのあらかじめ設計した装着孔が設けられ、したがって、これらを装着する際、測定を行なう必要がない。
【００２２】
同様の方法によって、扉敷居25を中間階扉開口の下縁に緊締要素28によって取り付ける。この後、固定ねじ32を用いて、堅固な第１の垂直枠体24を扉敷居25の一方の端部に固定し、同様の垂直枠体２を扉敷居25の他方の端部に固定する。固定ねじ32は、第２の垂直枠体26では孔36を通過し、第１の垂直枠体24では孔35および扉敷居25を通過する。これらの垂直枠体は懸架させておく。第２の垂直枠体26は、第１の垂直枠体24と扉敷居25との間にある。第１の垂直枠体24は、緊締要素として用いられる固定ねじ32によって支持懸架され、長孔35には、ねじ32の下方にクリアランスがある。こうして垂直枠体24および26は、ねじ結合によって互いに接続され、これは、水平面内において堅固であるが、依然として垂直枠体の長手方向においては、大きな力が加わったとき必要な柔軟性がある。同様にして下の階の扉敷居21は、扉開口の下縁に緊締要素27によって固定される。
【００２３】
図３に示す長孔36は、建物の階間距離の製造許容誤差を吸収するように設計され、製造された垂直枠体が所期の位置に確実に固定されるようにしている。次に、扉敷居25の初期孔を通して、かつ垂直枠体26を通して孔を穿設し、緊締要素として機能するロックピン34を装着して扉敷居25および第２の垂直枠体26が互いに対して動かないようにする。第１の垂直枠体24には、ロックピン24の周囲の領域に長孔37が設けられて、ロックピン34が第１の垂直枠体24に触れず、クリアランスのかなりの部分がロックピン34の下方に残るようにする。緊締要素として用いられるねじ32およびロックピン34によって、第１の垂直枠体24および第２の垂直枠体26（これらには長孔35および37が設けられている）、ならびに扉敷居25が互いにロックされ、ロックピン34は長孔37内を下方に動くことができる。
【００２４】
次に、階扉の頭上支持体29を垂直枠体26に装着する。そこで、扉パネル23を頭上支持体29に通常の方法で懸架させることができる。垂直枠体26および頭上支持体29は、いずれの箇所でも昇降路構体に直接、固定しない。建物が収縮すると、大きな垂直方向の力が生ずるが、これは、緊締要素として用いられているねじ32によって生ずる摩擦力に打ち勝って、階床に取り付けられた扉敷居25が下方に動いてしまう。第２の垂直構体26は、扉敷居25にロックピン34で接続されているが、扉敷居に追随し、頭上支持体29は、第２の垂直枠体26に取り付けられているが、これも扉敷居25に追随する。
【００２５】
上述の説明は、一方では下方の垂直枠体24と、他方では互いに緊締された上方の垂直枠体26および扉敷居25との間に摺動が確実に生じて、扉敷居25と頭上支持体29との間の間隔を不変に保つように構成された１つの装置を提示するものである。
【００２６】
本発明の扉構体の全重量は、扉敷居を介して床に伝達され、扉構体の上部は、昇降路構体にその上方の扉構体の扉敷居を介して水平方向にのみ堅固に接続されている。
【００２７】
以上、本発明を添付図面を参照して例を挙げて説明したが、特許請求の範囲に記載の発明思想の範囲内で本発明の異なる実施例が可能である。
【図面の簡単な説明】
【図１】  ２つの階を部分的に示す本発明の実施例の図である。
【図２】  ２つの階を部分的に示す本発明の他の実施例の図である。
【図３】  本発明の方式の拡大図である。
【図１】
0004648543.tif 000002
【図２】
0004648543.tif 000003
【図３】
0004648543.tif 000004